Podtech/llm-jp-corpus-v4-ja_patent huggingface dataset:
【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
血管内コネクタであって、
第１の部材および並置された第２の部材を含む、第１の対のクリンチ部材と、
該第１の対のクリンチ部材の反対側にあって、第１の部材および並置された第２の部材を含む、第２の対のクリンチ部材と
を備え、該第１の対のクリンチ部材および該第２の対のクリンチ部材は、第１の血管および第２の血管の隣接部分に対して縦方向に配置される展開構成を有することにより、該第１の対のクリンチ部材および該第２の対のクリンチ部材は、該第１の血管および該第２の血管の隣接並列部分に近接するように偏向され、
該第１の対のクリンチ部材の第１の部材および該第２の対のクリンチ部材の第１の部材は、それぞれ、該第１の対のクリンチ部材の第２の部材および第２の対のクリンチ部材の第２の部材の長さ未満の長さを有し、各第１の部材は、それぞれ、該第１の血管および該第２の血管内において該コネクタの対向する端に展開され、各個々のクリンチ部材が、該第１の血管および該第２の血管内で所定の順序で連続して展開され得、そして
各第２の部材が、各それぞれの血管壁と接触するときに、各第１の部材が、各それぞれの血管壁内でその展開位置へと全体的に弧となる大きさである、
コネクタ。
【請求項２】
前記第１の対のクリンチ部材および前記第２の対のクリンチ部材に対して横断方向の展開構成を有し、少なくとも第３の対のクリンチ部材をさらに備え、該第３の対のクリンチ部材は、前記第１の血管および前記第２の血管の側壁上の円周方向に離間した点に極わずかな圧力を付与するように偏向される、請求項１に記載のコネクタ。
【請求項３】
前記第１の対のクリンチ部材および前記第２の対のクリンチ部材の各第２の部材は、それぞれ、前記第１の血管および前記第２の血管内のコネクタの対向する端に展開される、請求項１に記載のコネクタ。
【請求項４】
前記第１の対のクリンチ部材と前記第２の対のクリンチ部材との間に延在し、前記第１の血管および前記第２の血管を流体連結する内腔を画定するクリップコネクタをさらに備える、請求項１に記載のコネクタ。
【請求項５】
前記クリップコネクタは、前記コネクタの中心線に対して角度を成す、請求項４に記載のコネクタ。
【請求項６】
前記クリップコネクタは、その長さに沿って先細りになる断面を画定する、請求項４に記載のコネクタ。
【請求項７】
前記クリップコネクタは、前記コネクタの中心線に対して角度を成し、その長さに沿って先細りになる断面を画定する、請求項４に記載のコネクタ。
【請求項８】
前記クリップコネクタの長さに沿って、少なくとも１つの変形可能区分をさらに備える、請求項４に記載のコネクタ。
【請求項９】
クリンチ部材の間にヒンジまたはフランジをさらに備える、請求項１に記載のコネクタ。
【請求項１０】
前記コネクタの周辺に沿って、少なくとも１つの破壊区分または脆弱区分をさらに備える、請求項１に記載のコネクタ。
【請求項１１】
前記コネクタの周辺に沿って、少なくとも１つの変形可能区分をさらに備える、請求項１に記載のコネクタ。
【請求項１２】
外側シースと、該外側シース内で摺動可能である内部シャフトとを有する送達器具をさらに備えており、前記コネクタは該外側シース内から展開可能である、請求項１に記載のコネクタ。
【請求項１３】
前記外側シースおよび／または内部シャフトの遠位端あるいはその近傍に膨張性部材をさらに備える、請求項１２に記載のコネクタ。
【請求項１４】
前記外側シースおよび／または内部シャフトは、関節運動可能である、請求項１２に記載のコネクタ。
【請求項１５】
前記送達器具は、それの上に膨張性バルーンをさらに備える、請求項１２に記載のコネクタ。
【請求項１６】
前記バルーンは、膨張すると、円形断面を画定する、請求項１５に記載のコネクタ。
【請求項１７】
前記バルーンは、膨張すると、非円形断面を画定する、請求項１５に記載のコネクタ。
【請求項１８】
前記第１の対のクリンチ部材および前記第２の対のクリンチ部材は、反転するように偏向されることにより、各並置された部材の遠位部分は、その展開構成に解放されると互いに近接する、請求項１に記載のコネクタ。
【請求項１９】
各並置されたクリンチ部材の遠位部分は、前記第１の血管および前記第２の血管への衝突に対して、それらの間に非外傷性支持面を形成するように構成される、請求項１に記載のコネクタ。
【請求項２０】
前記第１の対のクリンチ部材および前記第２の対のクリンチ部材は、介在する胴体区分を伴わずに、連続的に形成されるクリップを備える、請求項１に記載のコネクタ。
【請求項２１】
前記第１の血管は、動脈を含む、請求項１に記載のコネクタ。
【請求項２２】
前記第２の血管は、静脈を含む、請求項１に記載のコネクタ。
【請求項２３】
前記第３の対のクリンチ部材は、それぞれ、前記展開構成において互いから離れて離間する遠位部分を画定する、請求項２に記載のコネクタ。
【請求項２４】
前記第３の対のクリンチ部材は、介在する胴体区分を伴わずに、連続的に形成されるクリップを備える、請求項２に記載のコネクタ。
【請求項２５】
少なくとも部分的に前記コネクタを被覆する治療薬物コーティングまたは膜をさらに備える、請求項１に記載のコネクタ。
【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
ＨＩＶを治療するための組成物であって、前記治療を達成するのに十分な量で、ＨＩＶ表面上またはＨＩＶ感染細胞表面上の脂質に結合し、そしてそれによってＨＩＶ−１を中和する、正常被験体からまたは自己免疫疾患被験体から誘導可能な抗体を含み、前記抗体がＣＬ１、またはその結合特異性を有する抗体、またはその結合性断片である、前記組成物。
【請求項２】
抗ＨＩＶ抗体の産生を誘導するための組成物であって、前記誘導を達成するのに十分な量で、少なくとも１つのリポソーム−ペプチド・コンジュゲートを含み、前記ペプチドが膜外部近位領域（ＭＰＥＲ）エピトープを含み、そして前記リポソームがリゾホスホリルコリンまたはホスファチジルセリンを含む、前記組成物。
【請求項３】
前記ペプチドが、配列ＥＬＤＫＷＡＳまたはＷＦＮＩＴＮＷを含む、請求項２記載の組成物。
【請求項４】
前記リポソーム−ペプチド・コンジュゲートがさらに脂質Ａを含む、請求項２又は３記載の組成物。
【請求項５】
前記リポソーム−ペプチド・コンジュゲートをβ２糖タンパク質１の組換えドメインＶと混合する、請求項２ないし４のいずれか１項に記載の組成物。
【請求項６】
リポソーム中に包埋されたＭＰＥＲエピトープを含む免疫原であって、前記リポソームがリゾホスホリルコリンまたはホスファチジルセリンを含む、前記免疫原。
【請求項７】
前記免疫原がさらに脂質Ａを含む、請求項６記載の免疫原。
【請求項８】
前記免疫原がさらに、β２糖タンパク質１の組換えドメインＶを含む、請求項６又は７記載の免疫原。
【請求項９】
ＨＩＶ−１  ｇｐ４１およびＭＰＥＲペプチドの膜貫通ドメインを含む免疫原性コンジュゲートであって、前記ＭＰＥＲペプチドが前記膜貫通ドメインを介してリポソーム中に係留される、前記コンジュゲート。
【請求項１０】
前記リポソームが合成脂質を含む、請求項９記載の免疫原性コンジュゲート。
【請求項１１】
前記ＭＰＥＲペプチドが２Ｆ５または４Ｅ１０モノクローナル抗体のエピトープを含む、請求項９又は１０記載の免疫原性コンジュゲート。
【請求項１２】
患者において免疫応答を誘導するための組成物であって、前記誘導を達成するのに十分な量で、請求項９又は１０記載の前記免疫原性コンジュゲートを含む、前記組成物。
【手続補正書】
【提出日】平成22年6月7日(2010.6.7)
【手続補正１】
【補正対象書類名】明細書
【補正対象項目名】００３１
【補正方法】変更
【補正の内容】
【００３１】
【図１】先行技術の形の熱伝達要素バスケット組立体の斜視図である。
【図２ａ】図１の２−２線に沿って先行技術の形の熱伝達要素バスケット組立体の第１の例を示す断面図である。
【図２ｂ】図１の２−２線の沿って先行技術の形の熱伝達要素バスケット組立体の第２の例を示す断面図である。
【図３】本発明にしたがって構成した熱伝達要素バスケット組立体を用いることができる回転再生式熱交換器の斜視図である。
【図４】図３の４−４線に沿う回転再生式熱交換器の平面図である。
【図５】本発明の態様にしたがって構成した熱伝達要素バスケット組立体を示す斜視図であって、その中に配置される複数の熱伝達板は示されていない。
【図６ａ】本発明の態様にしたがって構成した、図５の熱伝達要素バスケット組立体のサイドストラップを示す斜視図であって、折り曲げられている状態を示す。
【図６ｂ】本発明の態様にしたがって構成した、図５の熱伝達要素バスケット組立体のサイドストラップの、折り曲げられる前の状態を線図的に示す図である。
【図７】本発明の態様にしたがって構成した、図５の熱伝達要素バスケット組立体のスプリッタ板を線図的に示す図である。
【図８】本発明の態様にしたがって構成した熱伝達要素バスケット組立体を示す斜視図であって、その中に配置されている複数の熱伝達板を示し、かつ図１とは異なる方向から示している。
【手続補正２】
【補正対象書類名】図面
【補正対象項目名】全図
【補正方法】変更
【補正の内容】
【図１】
2010523932.tif 000001
【図２ａ】
2010523932.tif 000002
【図２ｂ】
2010523932.tif 000003
【図３】
2010523932.tif 000004
【図４】
2010523932.tif 000005
【図５】
2010523932.tif 000006
【図６ａ】
2010523932.tif 000007
【図６ｂ】
2010523932.tif 000008
【図７】
2010523932.tif 000009
【図８】
2010523932.tif 000010
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
基礎（２９）上に固定された方向転換台（２７）と、該方向転換台（２７）に回動可能に支持され基礎（２９）の水平面（４７）に対して垂直に立てられたロータ（１３）を転倒防止するための保持装置（４５）とを有し、保持装置（４５）が方向転換台（２７）とは別個に基礎（２９）に固定される、少なくとも１本のタイロッド（１５）によって相互に締付け結合された複数の回転円板（２１）で構成された流体機械におけるロータ（１３）を組立および分解するための組立装置（２３）であって、
保持装置（４５）が複数の支柱（６４）によって基礎（２９）に固定され、方向転換台（２７）がそれらの支柱で囲い込まれた基礎面の内部に配置されていることを特徴とする流体機械におけるロータ（１３）を組立および分解するための組立装置。
【請求項２】
保持装置（４５）が基礎（２９）上に矩形の形で配置された４本の支柱（６４）を介して基礎（２９）の上側に配置されていることを特徴とする請求項１に記載の組立装置。
【請求項３】
保持装置（４５）が水平面（４７）に対して垂直に立てられたロータ（１３）を横側で支持する少なくとも１つの支え面（６１）を有し、方向転換台（２７）のヒンジ継手（３１）とその上に配置された支え面（６１）との垂直距離が２〜３ｍであることを特徴とする請求項１又は２に記載の組立装置。
【請求項４】
複数の支柱（６４）が台座（４９）を支持していることを特徴とする請求項１ないし３のいずれか１つに記載の組立装置。
【請求項５】
支え面（６１）が台座（４９）の高さに設けられていることを特徴とする請求項４に記載の組立装置。
【請求項６】
台座（４９）が作業員の作業台として形成されていることを特徴とする請求項４又は５に記載の組立装置。
【請求項７】
方向転換台（２７）がロータ（１３）の重力を基礎（２９）に円形面で伝えることを特徴とする請求項１ないし６のいずれか１つに記載の組立装置。
【手続補正２】
【補正対象書類名】図面
【補正対象項目名】図２
【補正方法】変更
【補正の内容】
【図２】
2010523901.tif 000001
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
サンプル表面のスペクトル反射率を測定するために反射性のサンプルへと向けられる光源を有している分光光度計において、改良された光源は、
（ａ）アレイ状に配列された複数のＬＥＤであって、該複数のＬＥＤの内の異なるＬＥＤにそれぞれ対応するアパーチャを有するブラケットに取り付けられる、複数のＬＥＤと、
（ｂ）対応する複数の電界蛍光発光体であって、それぞれが前記ＬＥＤの内の異なるＬＥＤに対応しており、それぞれが前記ＬＥＤの内の対応する異なるＬＥＤから放出された光エネルギーを遮り、光エネルギーを異なる波長で放出し直すように前記アパーチャの内の異なるアパーチャに配置されている、電界蛍光発光体と、
を備えている、分光光度計。
【請求項２】
各電界蛍光発光体は、異なる発光スペクトルを有しており、全ての電界蛍光発光体の組み合わされた発光は白色光を作り出す、請求項１に記載の分光光度計。
【請求項３】
前記発光体は、燐光体をベースとする発光体である、請求項１に記載の分光光度計。
【請求項４】
各ＬＥＤは、パルス幅変調信号により、個別に調整可能に通電される、請求項１に記載の分光光度計。
【請求項５】
前記複数のＬＥＤのうちの１つが、対応する電界蛍光発光体なしで取り付けられるＵＶ  ＬＥＤである、請求項１に記載の分光光度計。
【請求項６】
サンプル表面のスペクトル反射率を測定するために反射性のサンプルへと向けられる光源を有している分光光度計において、改良された光源は、
（ａ）円形アレイ状に配列され同時に通電されるように接続されている複数のＬＥＤと、
（ｂ）対応する複数の電界蛍光発光体であって、それぞれが前記ＬＥＤの内の異なるＬＥＤに対応しており、それぞれが前記ＬＥＤの内の対応する異なるＬＥＤから放出された光エネルギーを遮り、光エネルギーを異なる波長で放出し直すように、前記異なるＬＥＤ上に被覆されている、電界蛍光発光体と、
を備えている、分光光度計。
【請求項７】
各ＬＥＤは、パルス幅変調信号により、個別に調整可能に通電される、請求項６に記載の分光光度計。
【請求項８】
各電界蛍光発光体により再放出される光エネルギーは、所定のスペクトル帯域幅と、異なる中心波長とを有しており、各電界蛍光発光体の前記所定のスペクトル帯域幅は、他の電界蛍光発光体のスペクトル帯域幅と組み合わされると白色光を作り出す、請求項６に記載の分光光度計。
【請求項９】
サンプル表面のスペクトル反射率を測定するために反射性のサンプルへと向けられる光源を有している分光光度計において、スペクトル反射率を判別するための方法であって、
（ａ）光を反射面へと向けて、反射光を生成する段階と、
（ｂ）前記反射光をコリメート用フェースプレートに通し、その結果コリメートされた反射光を直線状可変フィルタに通しアレイ状に配列された複数の光検出器へと向かわせ、各光検出器に存在する光子エネルギーに対応する電気アナログ信号を生成する段階と、
（ｃ）前記電気アナログ信号を、アナログ対デジタル変換器（ＡＤＣ）に送る段階と、
（ｄ）前記ＡＤＣ内で前記アナログ信号と比較するための、少なくとも２つの基準値、即ち、一方の基準値は低又はゼロ利得に相当し、他方の基準値は高利得に相当する、を選択して、それらに対応するデジタル信号を導き出す段階と、
（ｅ）電気アナログ信号を各光検出器で２回サンプリングし、前記一方の基準値と前記他方の基準値を交互に使用する段階と、
から成る方法。
【請求項１０】
光路幾何学形状変換器を含む光路を有し、且つスペクトルセンサを有し、入力アパーチャに入ってくる測定対象の光のスペクトル内容を判別するための分光光度計において、改良された光路幾何学形状変換器は、
（ａ）光入力端に前記入力アパーチャに対応する所定の合成断面形状が形成されるように、互いに接触して平行に配置されている複数の光ファイバーストランドを備えており、
（ｂ）前記光ファイバーストランドは、光出力端に前記スペクトルセンサに対応する異なる断面形状が形成されるように、前記光入力端から伸張するように構成されている、分光光度計。
【請求項１１】
前記光ファイバーストランドは、エポキシで所定の位置に固定されている、請求項１０に記載の分光光度計。
【請求項１２】
前記複数の光ファイバーストランドは、溶融して、互いに対して所定の位置に固定されている、請求項１０に記載の分光光度計。
【請求項１３】
サンプル表面のスペクトル反射率を測定するために反射性のサンプルへと向けられる光源を有しており、また、反射光を光検出器に送るための光路を有している分光光度計において、改良点として、
（ａ）反射光を受ける面を形成する直線状可変フィルタと、
（ｂ）前記反射光を受けるように配置され、穴又は毛細管のアレイを備えているコリメート用フェースプレートであって、前記反射光路内の光を前記直線状可変フィルタの手前でコリメートし、前記直線状可変フィルタの前記面に対して２０°より大きい入射角度の光を拒絶するように、前記直線状可変フィルタに近接して配置されている、コリメート用フェースプレートと、
を備えている分光光度計。
【請求項１４】
前記直線状可変フィルタは、前記合成干渉被覆層の厚さが縁と縁との間で変化し、楔状の形状が光検出器の軸線に沿ってサブミクロンの規模で形成されるように塗布された多数の大域通貨被覆層で形成されている、請求項１３に記載の分光光度計。
【請求項１５】
サンプル表面のスペクトル反射率を測定するために反射性のサンプルへと向けられる光源を有しており、反射光を光検出器アレイに送るための光路を有している分光光度計において、改良点として、
（ａ）反射光を受ける面を形成する直線状可変フィルタ、
（ｂ）前記反射光を受けるように配置され、前記反射光路内の光を前記直線状可変フィルタの手前でコリメートし、前記直線状可変フィルタの前記面に対して２０°より大きい入射角度の光を拒絶するように、前記直線状可変フィルタに近接して配置されている、光学的に透明なプラスチック又はガラスファイバー要素のアレイを備えているコリメート用フェースプレートと、
を備えている分光光度計。
【請求項１６】
前記直線状可変フィルタは楔形エタロンである、請求項１５に記載の分光光度計。
【手続補正書】
【提出日】平成22年7月27日(2010.7.27)
【手続補正１】
【補正対象書類名】明細書
【補正対象項目名】００１４
【補正方法】変更
【補正の内容】
【００１４】
さらに別の実施形態では、癌患者の治療後生存見込みは、上述の５つのマイクロＲＮＡの患者の発現レベルに基づいて予測することが可能である。リスクスコアは次のように計算される：（０．１５×ｈｓａ−ｍｉＲ１３７の発現レベル）＋（０．３１×ｈｓａ−ｍｉＲ３７２の発現レベル）＋（０．２８×ｈｓａ−ｍｉＲ−１８２＊の発現レベル）＋（−０．１３×ｈｓａ−ｍｉＲ２２１の発現レベル）＋（−０．１４×ｈｓａ−ｌｅｔ−７ａの発現レベル）。患者のリスクスコアが−７．１以下の場合、その癌患者は十分な治療後生存見込みを有する。
【手続補正２】
【補正対象書類名】明細書
【補正対象項目名】００３４
【補正方法】変更
【補正の内容】
【００３４】
これらの５つのマイクロＲＮＡの発現レベルに基づいて、患者のリスクスコアを以下の式に従って計算した：（０．１５×発現レベルのｈｓａ−ｍｉＲ−１３７）＋（０．３１×発現レベルのｈｓａ−ｍｉＲ−３７２）＋（０．２８×発現レベルのｈｓａ−ｍｉＲ−１８２＊）＋（−０．１３×発現レベルのｈｓａ−ｍｉＲ−２２１）＋（０．１４×ｈｓａ−ｌｅｔ−７ａの発現レベル）。ハイリスクグループに−７．１より高いリスクスコアを有する患者はハイリスク群に割り当てられ、−７．１よりも低いリスクスコアを有する患者はローリスク群に割り当てられる。
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
（a）複数の各々のミニセルがプラスミド非含有調節性RNAを含有する、複数のインタクトな細菌由来ミニセルと、（b）その製薬上許容される担体とを含む組成物であって、前記調節性RNAがsiRNA、miRNA及びshRNAからなる群より選択され、並びに前記複数のミニセルが治療上有効な量の前記調節性RNAを含有する組成物。
【請求項２】
前記調節性RNAが、薬物耐性、アポトーシス耐性又は腫瘍性に関与するタンパク質をコードするRNA転写産物を標的とする、請求項１に記載の組成物。
【請求項３】
前記調節性RNAが、P-糖タンパク質、MDR-2又はMDR-3の転写産物を標的とする、請求項１に記載の組成物。
【請求項４】
前記調節性RNAが、MRP2、BCR-ABL、STI-571耐性関連タンパク質、肺耐性関連タンパク質、シクロオキシゲナーゼ-2、核内因子κ、XRCC1、ERCC1、GSTP1、変異型β-チューブリン、又は成長因子（増殖因子）の転写産物を標的とする、請求項１に記載の組成物。
【請求項５】
前記調節性RNAが、Bcl-2、Bcl-XL、A1/Bfl 1、焦点接着キナーゼ、又はp53タンパク質の転写産物を標的とする、請求項１に記載の組成物。
【請求項６】
前記調節性RNAが、β-カテニン、PKC-α、C-RAF、K-Ras、DP97 DeadボックスRNAヘリカーゼ、cdk1、DNMT1、FLIP、C-Sfc、53BPI、ポリコーム群タンパク質EZH2、ErbB1、HPV-16 E5及びE7、フォルティリン（Fortilin）及びMCI1P、KSP、DIP13α、MBD2、p21、KLF4、tpt/TCTP、SPK1及びSPK2、P300、PLK1、Trp53、Ras、ErbB1、VEGF、又はBAG-1の転写産物を標的とする、請求項１に記載の組成物。
【請求項７】
薬物をさらに含む、請求項１に記載の組成物。
【請求項８】
前記調節性RNAが、前記薬物に対する耐性に関与するタンパク質をコードする転写産物を標的とする、請求項７に記載の組成物。
【請求項９】
前記薬物がインタクトな細菌由来ミニセル中に封入されている、請求項８に記載の組成物。
【請求項１０】
前記調節性RNA及び前記薬物が同一のミニセル中に封入されている、請求項９に記載の組成物。
【請求項１１】
二重特異性リガンドをさらに含む、請求項１に記載の組成物。
【請求項１２】
前記二重特異性リガンドが、ミニセル表面構造に対する特異性を有する第１アームと、非貪食性哺乳動物細胞表面受容体に対する特異性を有する第２アームとを含む、請求項１１に記載の組成物。
【請求項１３】
前記哺乳動物細胞表面受容体が、前記ミニセルの受容体介在エンドサイトーシスを活性化することが可能なものである、請求項１２に記載の組成物。
【請求項１４】
前記二重特異性リガンドが抗体又は抗体フラグメントを含む、請求項１１に記載の組成物。
【請求項１５】
109個ミニセル当たり約１個未満の混入親細菌細胞を含有する、請求項１に記載の組成物。
【請求項１６】
1010個ミニセル当たり約１個未満の混入親細菌細胞を含有する、請求項１に記載の組成物。
【請求項１７】
1011個ミニセル当たり約１個未満の混入親細菌細胞を含有する、請求項１に記載の組成物。
【請求項１８】
医薬として使用するための請求項１に記載の組成物。
【請求項１９】
前記調節性RNAがshRNAである、請求項１８に記載の組成物。
【請求項２０】
前記調節性RNAがsiRNAである、請求項１８に記載の組成物。
【請求項２１】
薬物耐性、アポトーシス耐性又は腫瘍の治療において使用するための請求項１８に記載の組成物。
【請求項２２】
前記医薬が薬物と併用して使用され、前記調節性RNAが前記薬物に対する耐性に関与するタンパク質の転写産物を標的とする、請求項１８に記載の組成物。
【請求項２３】
前記薬物がインタクトな細菌由来ミニセル中に封入されている、請求項２２に記載の組成物。
【請求項２４】
前記調節性RNA及び前記薬物が同一のミニセル中に封入されている、請求項２３に記載の組成物。
【請求項２５】
複数のインタクトな細菌由来ミニセルを緩衝生理食塩水中でプラスミド非含有調節性RNAと共インキュベートするステップを含む、前記調節性RNAがsiRNA、miRNA及びshRNAからなる群より選択される、請求項１に記載の組成物のミニセルを製剤化する方法。
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
ポリオレフィンを製造するための方法であって、
流動床反応器システム中でポリオレフィンを製造するための最適運転温度を決定し；
前記運転温度において達成されるポリオレフィンの所望の特性に基づいて、ジエチルアルミニウムエトキシド（ＤＥＡｌＥ）で還元された酸化クロムベース触媒を選択し；
前記流動床反応器システム中でモノマーを前記酸化クロムベース触媒と接触させ；
前記最適運転温度を維持するために前記流動床反応器システムのリサイクル流を冷却し；そして
前記流動床反応器システムのファウリングを最小限に抑えるのに必要な有効量の酸素を前記流動床反応器システム中に保つために前記流動床反応器システムに酸素を供給する：
ことを含み、
前記触媒が脱水シリカ上の酸化クロムであり、
前記酸素を流動床反応器システムに添加されるモノマーの体積流量に対して酸素０ｐｐｍ超〜０．１ｐｐｍ未満の割合で前記流動床反応器システムに供給し、そして
前記最適運転温度が、前記流動床反応器システム中の最高温度が前記ポリオレフィンの融点より約２０℃未満低い温度となる温度である、前記方法。
【請求項２】
前記酸素を流動床反応器システムに添加されるモノマーの体積流量に対して酸素約０．０５ｐｐｍ又はそれ未満の割合で前記流動床反応器システムに供給する、請求項１に記載の方法。
【請求項３】
前記最適運転温度が、前記流動床反応器システム中の最高温度がポリオレフィンの融点より約１５℃未満低い温度となる温度である、請求項１又は２に記載の方法。
【請求項４】
前記酸素を反応器と熱交換器との間で前記流動床反応器システムのリサイクル流に供給する、請求項１〜３のいずれかに記載の方法。
【請求項５】
前記酸素をコンプレッサーと熱交換器との間で前記流動床反応器システムのリサイクル流に供給する、請求項１〜４のいずれかに記載の方法。
【請求項６】
前記酸素をコンプレッサーと反応器との間で前記流動床反応器システムのリサイクル流に供給する、請求項１〜４のいずれかに記載の方法。
【請求項７】
前記酸素を反応器の上流において前記流動床反応器システムのリサイクル流に供給する、請求項１〜４のいずれかに記載の方法。
【請求項８】
前記触媒中のＤＥＡｌＥ／Ｃｒのモル比を約１０／１より低くする、請求項１〜７のいずれかに記載の方法。
【請求項９】
前記触媒中のＤＥＡｌＥ／Ｃｒのモル比を約０．１〜約１０にする、請求項１〜７のいずれかに記載の方法。
【請求項１０】
前記ポリマーがポリエチレンである、請求項１〜９のいずれかに記載の方法。
【請求項１１】
掃除のために反応器システムを開く必要なく少なくとも３か月間反応器を運転することができる、請求項１〜１０のいずれかに記載の方法。
【請求項１２】
ポリオレフィンを製造するための流動床反応器システムであって、
ジエチルアルミニウムエトキシド（ＤＥＡｌＥ）で還元された酸化クロムベース触媒を含有する反応器；
反応器システムにモノマーを添加するためのモノマー供給ライン；
前記モノマー供給ライン上の流量計；
反応器システムに酸素を添加するための酸素供給ライン；及び
前記流量計の出力に基づいて前記酸素の供給流量を制御するための、前記流量計と連動した処理ユニット：
を含み、
前記酸素が流動床反応器システムに添加されるモノマーの体積流量に対して酸素０ｐｐｍ超〜０．１ｐｐｍ未満の割合で前記流動床反応器システムに供給され、
前記触媒が脱水シリカ上の酸化クロムであり、そして
前記流動床反応器システム中の最高温度がポリオレフィンの融点より約２０℃未満低い温度となるように運転される、前記流動床反応器システム。
【請求項１３】
前記酸素が反応器の上流において前記反応器システムに供給される、請求項１２に記載の流動床反応器システム。
【請求項１４】
熱交換器をさらに含み、前記酸素が該熱交換器の上流において前記反応器システムに供給される、請求項１２又は１３に記載の流動床反応器システム。
【請求項１５】
熱交換器及びコンプレッサーをさらに含み、前記酸素が該熱交換器と該コンプレッサーとの間において前記反応器システムに供給される、請求項１２又は１３に記載の流動床反応器システム。
【請求項１６】
前記モノマーがエチレンである、請求項１２〜１５のいずれかに記載の流動床反応器システム。
【請求項１７】
掃除のために反応器システムを開く必要なく少なくとも３か月間反応器を運転することができる、請求項１２〜１６のいずれかに記載の流動床反応器システム。
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
水平面（４７）に対して垂直に立てられたロータ（１３）が保持装置（４５）の少なくとも１つの支え面（６１）によって横側を支持される、水平面（４７）に対して垂直に立てられた流体機械におけるロータ（１３）を転倒防止するための保持装置（４５）であって、
ロータ（１３）を鉛直に立てるために、鉛直に立てられたロータが鉛直直立作業中に当接している支え面（６１）が水平面（４７）に対して平行に変位できることを特徴とする水平面（４７）に対して垂直に立てられた流体機械におけるロータ（１３）を転倒防止するための保持装置。
【請求項２】
支え面（６１）が少なくとも２つのリングセグメント（５５、５７）から成るリング（５３）に形成されていることを特徴とする請求項１に記載の保持装置。
【請求項３】
両リングセグメント（５５、５７）の一方のリングセグメント（５７）が他方のリングセグメント（５５）に対して回動可能に取り付けられていることを特徴とする請求項２に記載の保持装置。
【請求項４】
それぞれ水平面（４７）に対して平行に延び、支え面（６１）を変位するために水平面（４７）に対して平行に移動できる要素を有する複数のねじ装置（６３）あるいは複数の液圧ピストンシリンダ装置が設けられていることを特徴とする請求項１ないし３のいずれか１つに記載の保持装置。
【請求項５】
ねじ装置（６３）あるいは液圧ピストンシリンダ装置が仮想中心の周りに放射状に配置されていることを特徴とする請求項４に記載の保持装置。
【請求項６】
少なくとも１つの偏心輪を有し、この偏心輪に前記支え面（６１）が設けられていることを特徴とする請求項１ないし３のいずれか１つに記載の保持装置。
【請求項７】
保持装置（４５）が基礎（２９）に固定でき、基礎（２９）に複数の支柱（６４）と斜交い（６５）によって支えられた台座（４９）を有していることを特徴とする請求項１ないし６のいずれか１つに記載の保持装置。
【請求項８】
支え面（６１）が台座の高さに設けられていることを特徴とする請求項６に記載の保持装置。
【請求項９】
基礎（２９）上に固定された方向転換台（２７）と、該方向転換台（２７）に回動可能に支持され基礎（２９）の水平面（４７）に対して垂直に立てられるロータ（１３）を転倒防止するための請求項１ないし８のいずれか１つに記載の保持装置（４５）とを有し、少なくとも１本のタイロッド（１５）によって相互に締付け結合された複数の回転円板（２１）で構成された流体機械におけるロータ（１３）を組立および分解するために利用される組立装置（２３）であって、
保持装置（４５）が方向転換台（２７）と別個に支柱を介して基礎（２９）に固定されることを特徴とする複数の回転円板（２１）で構成された流体機械におけるロータ（１３）を組立および分解するために利用される組立装置。
【請求項１０】
既にほぼ鉛直に立てられたロータ（１３）ないしタイロッド（１５）が保持装置（４５）あるいは組立装置（２３）に配置された支え面（６１）で支えられる、水平面（４７）に対して垂直に立てるべき流体機械におけるロータ（１３）あるいはそのタイロッド（１５）を鉛直に立てる方法であって、
ロータ（１３）ないしタイロッド（１５）をほぼ鉛直に立てた後、ロータ（１３）ないしタイロッド（１５）が、その横側を既に支持している支え面（６１）の変位によって鉛直に立てられることを特徴とする水平面（４７）に対して垂直に立てるべき流体機械におけるロータ（１３）あるいはそのタイロッド（１５）を鉛直に立てる方法。
【手続補正２】
【補正対象書類名】明細書
【補正対象項目名】０００８
【補正方法】変更
【補正の内容】
【０００８】
第１の課題は請求項１に記載の特徴を有する保持装置によって解決される。方法に向けられた課題は請求項１０に記載の特徴を有する方法によって解決される。
【手続補正３】
【補正対象書類名】図面
【補正対象項目名】図２
【補正方法】変更
【補正の内容】
【図２】
2010523900.tif 000001
【手続補正書】
【提出日】平成22年7月9日(2010.7.9)
【手続補正１】
【補正対象書類名】特許請求の範囲
【補正対象項目名】請求項１７
【補正方法】変更
【補正の内容】
【請求項１７】
加水分解性シラン（ａ）が一般式（１）：
（Ｘ１ａＸ２ｂＸ３ｃＳｉＲ１）ｄＺ      （１）
〔式中、
Ｒ１が、１から３個の、好ましくは３個の炭素原子の直鎖アルキレン基であり；
Ｘ１が、メチル基または一般式（２）：
（ＨＡ１）ｅ−１Ｒ３（Ａ２−）      （２）
によって表される基であり、式中、
Ｒ３が３から６個の炭素原子のヒドロカルビル基であり；Ａ１およびＡ２の各々が酸素であり、そしてｅが１もしくは２であり；
Ｘ２基が一般式（３）：
（ＨＡ３）ｆ−２Ｒ５（Ａ４−）２      （３）
で表すことができ、式中、Ｒ５は３から６個の炭素原子のヒドロカルビル基であり；Ａ３およびＡ４の各々は酸素であり、そしてｆは２もしくは３であり；
Ｘ３基が一般式（４）：
Ｒ６（Ａ５−）３      （４）
で表す事ができ、式中、Ｒ６は３から６の炭素原子のヒドロカルビル基であり、Ａ５の各々は酸素であり；
Ｚが−ＮＨ２−、−ＮＨＲ８ＮＨ２であり、ここでＲ８がエチレン、プロピレンもしくはブチレン、−ＮＨＣ（＝Ｏ）ＮＨ２またはグリシドキシであり、；そして、ａ、ｂおよびｃの各々は整数であり、ここでａは０から３であり；ｂは０もしくは１であり；ｃは０もしくは１であり；ただしｃが０である時、ａ＋２ｂ＝３という条件であり、そして、ｂが１である時、ａ＝１でかつｃ＝０であるという条件であり、そしてｄが１である〕のものである、請求項９に記載の樹脂組成物。
【誤訳訂正書】
【提出日】平成22年11月5日(2010.11.5)
【誤訳訂正１】
【訂正対象書類名】明細書
【訂正対象項目名】００７５
【訂正方法】変更
【訂正の内容】
【００７５】
「アリール」、「フェニル」、「ヘテロアリール」（インドール−１−イル、インドール−２−イルおよびインドール−３−イル等のインドール、２，３−ジヒドロインドール−１−イル、２，３−ジヒドロインドール−２−イルおよび２，３−ジヒドロインドール−３−イル等の２，３−ジヒドロインドリル、インダゾール−１−イル、インダゾール−２−イルおよびインダゾール−３−イル等のインダゾリル、ベンズイミダゾール−１−イルおよびベンズイミダゾール−２−イル等のベンズイミダゾール、ベンゾフラン−２−イルおよびベンゾフラン−３−イル等のベンゾフラニル、ベンゾチオフェン−２−イルおよびベンゾチオフェン−３−イル等のベンゾチオフェニル、ベンゾオキサゾール−２−イル、ベンゾチアゾール−２−イル、チエニル、フラニル、ピリジニル、ピリミジニル、ピリダジニル、ピラジニル、オキサゾリル、チアゾリル、イソオキサゾリル、イソチアゾリル、イミダゾリル、ピラゾリルおよびキノリニルを含む）または「ヘテロシクリル」に関連して使用される、「場合により置換されている」は、アルキル、シクロアルキル、アルコキシ、ハロ、ハロアルキル、ハロアルコキシ、シアノ、ニトロ、ヘテロアルキル、アミノ、アシルアミノ、モノアルキルアミノ、ジアルキルアミノ、ヒドロキシアルキル、アルコキシアルキル、ベンジルオキシ、シクロアルキルアルキル、シクロアルコキシ、シクロアルキルアルコキシ、場合により置換されているチエニル、場合により置換されているピラゾリル、場合により置換されているピリジニル、モルホリノカルボニル、−（ＣＨ2）q−Ｓ（Ｏ）rＲf；−（ＣＨ2）q−ＮＲgＲh；−（ＣＨ2）q−Ｃ（＝Ｏ）−ＮＲgＲh；−（ＣＨ2）q−Ｃ（＝Ｏ）−Ｃ（＝Ｏ）−ＮＲgＲh；−（ＣＨ2）q−ＳＯ2−ＮＲgＲh；−（ＣＨ2）q−Ｎ（Ｒf）−Ｃ（＝Ｏ）−Ｒi；−（ＣＨ2）q−Ｃ（＝Ｏ）−Ｒi；または−（ＣＨ2）q−Ｎ（Ｒf）−ＳＯ2−Ｒg；（ここで、ｑは０または１であり、ｒは０〜２であり、Ｒf、Ｒg、およびＲhは、各々、独立に、水素またはアルキルであり、且つ各々のＲiは、独立に、水素、アルキル、ヒドロキシ、またはアルコキシである）から選択される、１〜４個の置換基、好ましくは、１又は２個の置換基で、独立して、場合により置換されている、アリール、フェニル、ヘテロアリールまたはヘテロシクリルを意味する。
【誤訳訂正書】
【提出日】平成22年1月28日(2010.1.28)
【誤訳訂正１】
【訂正対象書類名】明細書
【訂正対象項目名】００１４
【訂正方法】変更
【訂正の内容】
【００１４】
別の実施形態は、一表面の一領域を所与の波長の光で照明するレーザ光源と、第１のディメンションにおける周期的な距離を有する第１のアレイを含む検出器とを含む、光学式位置決め装置に関するものである。該光学式位置決め装置は更に、前記第１のディメンションにおける開口数を含む光学系を含み、前記第１のディメンションにおける平均スペックル直径を有するスペックルパターンを照明された前記領域から前記検出器へとマップするようになっている。該第１のディメンションにおける開口数は、前記波長を前記第１のディメンションにおける周期的な距離で除算した結果の0.5〜2倍の間である。
【誤訳訂正２】
【訂正対象書類名】明細書
【訂正対象項目名】００２６
【訂正方法】変更
【訂正の内容】
【００２６】
開口数は、一方向のディメンション（すなわちx）に沿った場合とそれと直交方向のディメンション（y）に沿った場合とで、イメージ内の空間周波数が異なる場合があることに留意されたい。これは、例えば、一方のディメンションにおける光学的開口が他方のディメンションにおける光学的開口よりも長い（例えば、円ではなく楕円の）場合や、アナモルフィック・レンズによって引き起こされる。かかる場合には、スペックルパターン116もまた異方性を有するものとなり、平均スペックルサイズが２つのディメンションにおいて異なることになる。
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
眼の前房または後房と流体連通するための眼移植片であって、
遠位端および近位端を有し、前房および後房の少なくとも一方から眼の外表面まで延びる本体と、
開口を形成するとともに、前記眼の前記外表面に対して係合するように前記本体の前記近位端に位置決めされているヘッドと、
開口を形成するとともに、前房および後房の少なくとも一方内に係合されるように前記本体の前記遠位端に位置決めされた脚部と、
前記ヘッドの開口および前記脚部の開口のそれぞれと流体連通する前記本体内のチャネルと、
前記ヘッドに対して遠位かつ前記脚部に対して近位にある中間位置に配置された前記チャネル内の流量絞り弁と、
通常は閉位置にあり、最小圧力に応じて開放するフラップであって、前記流量絞り弁に対し近位に配置された当該フラップと、
を備え、
前記眼移植片は実質的に剛性のある形である脱水状態で挿入され、前記眼移植片は、挿入後に水和されて実質的に軟らかく柔軟性のある形とされることを特徴とする眼移植片。
【請求項２】
前記フラップは一方向弁であることを特徴とする請求項１に記載の眼移植片。
【請求項３】
前記フラップは前記ヘッドの開口と連続して前記ヘッド内に位置づけられ、前記ヘッドの開口は前記チャネルよりも小さい断面積を有することを特徴とする請求項１に記載の眼移植片。
【請求項４】
薬剤を備え、前記本体は調節した量で放出するために前記薬剤を封入していることを特徴とする請求項１に記載の眼移植片。
【請求項５】
前記本体は星形の断面形状を有することを特徴とする請求項１に記載の眼移植片。
【請求項６】
前記本体に取り付けられたマイクロ機械ポンプをさらに備えることを特徴とする請求項１に記載の眼移植片。
【請求項７】
前記流量絞り弁に殺生剤を備えることを特徴とする請求項１に記載の眼移植片。
【請求項８】
前記本体、前記ヘッドおよび前記脚部の少なくとも１つは、脱水状態および水和状態をもつ眼ヒドロゲル、シリコーン、ポリメチルメタクリレート、ポリ２−ヒドロキシエチルメタクリレート、ヒアルロン酸、シリコーン／ヒドロゲルの組合せ、シリコーンアクリルの組合せ、フルオロシリコーンアクリレート、セラミック、サンゴおよびステンレス鋼の少なくとも１つで構成されていることを特徴とする請求項１に記載の眼移植片。
【請求項９】
前記水和状態は、前記脱水状態より１０％から５０％だけ大きい本体、ヘッドおよび脚部寸法の少なくとも１つを提供することを特徴とする請求項８に記載の眼移植片。
【請求項１０】
前記脚部は円形断面を備え、前記本体は円形断面を備え、
前記脚部の円形断面の直径と前記本体の円形断面の直径との比は、脚部円形断面の直径／本体円形断面の直径と規定され、
前記脚部の円形断面の直径と前記本体の円形断面の直径との比は、１．３から３．００の間の値を有することを特徴とする請求項１に記載の眼移植片。
【請求項１１】
前記流量絞り弁は、多孔質ファイバと該多孔質ファイバを取り囲むシリンダとを含み、前記多孔質ファイバはそれを通る流体の流れを許容するのに適合していることを特徴とする請求項１に記載の眼移植片。
【請求項１２】
前記流量絞り弁は毛細管流量絞り弁であることを特徴とする請求項１に記載の眼移植片。
【請求項１３】
前記毛細管流量絞り弁は正弦波形状を有する毛細管を形成していることを特徴とする請求項１２に記載の眼移植片。
【請求項１４】
前記脚部は直線的な遠位部材であることを特徴とする請求項１に記載の眼移植片。
【請求項１５】
眼シャントにおいて、
遠位端および近位端を有する本体と、
前記本体の前記近位端に位置づけられたフランジを備えるとともに、ヘッド開口を形成するヘッドと、
前記本体の前記遠位端に位置づけられたフランジを備えるとともに、脚部開口を形成する脚部と、
前記脚部開口およびヘッド開口に連通する前記本体内のチャネルと、
前記ヘッドに対しては十分遠位に、かつ前記脚部に対しては十分近位の中間位置に配置された前記チャネル内の流量絞り弁と、
を備え、
前記眼シャントは脱水状態および水和状態を有する眼ヒドロゲルで構成され、前記水和状態は、前記脱水状態より１０％から５０％だけ大きい本体、ヘッドおよび脚部寸法の少なくとも１つを提供し、
前記流量絞り弁は金属、チタン、セラミックおよびガラスを含む群の１つで作られていることを特徴とする眼シャント。
【請求項１６】
前記チャネルと流体連通して前記チャネルの流れを調節するのに適合し、少なくとも一部が前記近位端の方向への加圧に応答することで前記加圧に応じた流体の流れを許容する構造をさらに具えたことを特徴とする請求項１５に記載の眼シャント。
【請求項１７】
眼シャントにおいて、
遠位端および近位端を有する本体と、
前記本体の前記近位端に位置づけられたフランジを備えるとともに、ヘッド開口を形成するヘッドと、
前記本体の前記遠位端に位置づけられたフランジを備えるとともに、脚部開口を形成する脚部と、
前記脚部開口およびヘッド開口に連通する前記本体内のチャネルと、
所定の順番で配列された複数のフィルタであって、前記チャネル内に配置され、前記ヘッドに対しては遠位に、かつ前記脚部に対しては近位の中間位置に位置づけられた当該複数のフィルタと、
を備え、
前記眼シャントは脱水状態および水和状態を有する眼ヒドロゲルで構成され、前記水和状態は、前記脱水状態より１０％から５０％だけ大きい本体、ヘッドおよび脚部寸法の少なくとも１つを提供し、
前記ヘッド、前記脚部、前記本体および前記フィルタの少なくとも１つにコーティングが施されていることを特徴とする眼シャント。
【請求項１８】
前記コーティングは、前記ヘッド、前記脚部および前記本体の少なくとも１つに塗布された外科用接着剤であることを特徴とする請求項１７に記載の眼シャント。
【請求項１９】
前記チャネルに流体連通し、前記ヘッド開口を通る流体の流れを許容するべく選択的に解放可能なフラップをさらに具えたことを特徴とする請求項１７に記載の眼シャント。
【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
アメリカンタイプカルチャーコレクション（ＡＴＣＣ）アクセッション番号ＰＴＡ−６７０１であるハイブリドーマによって産生されるモノクローナル抗体の重鎖可変領域及び軽鎖可変領域のアミノ酸配列を含み、ＰＳＣＡタンパク質（配列番号２）に特異的に結合するモノクローナル抗体あるいはＰＳＣＡタンパク質（配列番号２）に特異的に結合する前記モノクローナル抗体のＦａｂ、Ｆ（ａｂ’）２、ＦｖまたはＳｆｖフラグメント。
【請求項２】
配列番号４７の重鎖可変領域及び配列番号５１の軽鎖可変領域のアミノ酸配列を含み、ＰＳＣＡタンパク質（配列番号２）に特異的に結合するモノクローナル抗体あるいはＰＳＣＡタンパク質（配列番号２）に特異的に結合する前記モノクローナル抗体のＦａｂ、Ｆ（ａｂ’）２、ＦｖまたはＳｆｖフラグメント。
【請求項３】
モノクローナル抗体あるいはそのＦａｂ、Ｆ（ａｂ’）２、ＦｖまたはＳｆｖフラグメントが、アメリカンタイプカルチャーコレクション（ＡＴＣＣ）アクセッション番号ＰＴＡ−６７０１であるハイブリドーマによって産生されるモノクローナル抗体の重鎖可変領域及び軽鎖可変領域のアミノ酸配列を含む、請求項２に記載のモノクローナル抗体あるいはそのＦａｂ、Ｆ（ａｂ’）２、ＦｖまたはＳｆｖフラグメント。
【請求項４】
アメリカンタイプカルチャーコレクション（ＡＴＣＣ）アクセッション番号ＰＴＡ−６７０１であるハイブリドーマによって産生されるモノクローナル抗体のアミノ酸配列を含み、ＰＳＣＡタンパク質（配列番号２）に特異的に結合するモノクローナル抗体あるいはＰＳＣＡタンパク質（配列番号２）に特異的に結合する前記モノクローナル抗体のＦａｂ、Ｆ（ａｂ’）２、ＦｖまたはＳｆｖフラグメント。
【請求項５】
アメリカンタイプカルチャーコレクション（ＡＴＣＣ）アクセッション番号ＰＴＡ−６７０１であるハイブリドーマによって産生されるモノクローナル抗体あるいはそのＦａｂ、Ｆ（ａｂ’）２、またはＦｖフラグメント。
【請求項６】
モノクローナル抗体あるいはそのＦａｂ、Ｆ（ａｂ’）２、ＦｖまたはＳｆｖフラグメントが、検出可能なマーカー、毒素、治療剤、または化学療法剤に結合される、請求項１〜５のいずれか１項に記載のモノクローナル抗体またはそのＦａｂ、Ｆ（ａｂ’）２、ＦｖまたはＳｆｖフラグメント。
【請求項７】
アメリカンタイプカルチャーコレクション（ＡＴＣＣ）アクセッション番号ＰＴＡ−６７０１である、請求項１に記載のモノクローナル抗体を産生するハイブリドーマ。
【請求項８】
請求項１〜５のいずれか１項に記載の抗体の重鎖可変領域をコードするポリヌクレオチド。
【請求項９】
請求項１〜５のいずれか１項に記載の抗体の軽鎖可変領域をコードするポリヌクレオチド。
【請求項１０】
請求項８及び／又は９に記載のポリヌクレオチドを含むベクター。
【請求項１１】
請求項１０に記載のベクターで形質転換された宿主細胞。
【請求項１２】
下記(a)又は(b)の細胞を培養する工程を含むことを特徴とする、請求項１〜５のいずれかに１項に記載のモノクローナル抗体あるいはそのＦａｂ、Ｆ（ａｂ’）２、またはＦｖフラグメントの製造方法：
(a) 請求項８に記載の重鎖可変領域を含む配列をコードするポリヌクレオチドを含むベクター及び請求項９に記載の軽鎖可変領域を含む配列をコードするポリヌクレオチドを含むベクターで形質転換された細胞；
(b) 請求項８に記載の重鎖可変領域を含む配列をコードするポリヌクレオチド及び請求項９に記載の軽鎖可変領域を含む配列をコードするポリヌクレオチドを共に含むベクターで形質転換された細胞。
【請求項１３】
請求項１〜６のいずれか１項に記載のモノクローナル抗体あるいはそのＦａｂ、Ｆ（ａｂ’）２、ＦｖまたはＳｆｖフラグメントを含む薬学的組成物。
【請求項１４】
癌治療用である請求項１３に記載の薬学的組成物。
【請求項１５】
癌が前立腺癌又は膵臓癌である、請求項１４に記載の薬学的組成物。
【請求項１６】
生物学的サンプル中のＰＳＣＡタンパク質の存在を検出するためのアッセイであって、該アッセイは、該サンプルを請求項１〜５のいずれか１項に記載のモノクローナル抗体と接触させる工程、および該サンプル中のＰＳＣＡタンパク質（配列番号２）の結合を検出する工程を包含する、アッセイ。
【請求項１７】
生物学的サンプル中のＰＳＣＡタンパク質（配列番号２）を検出するための方法であって、該方法は、
該生物学的サンプルおよびコントロールサンプルを提供する工程；
該生物学的サンプルおよび該コントロールサンプルを、該ＰＳＣＡタンパク質に特異的に結合する請求項１〜５のいずれか１項に記載のモノクローナル抗体と接触させる工程；ならびに
該生物学的サンプルおよび該コントロールサンプル中に存在する、該ＰＳＣＡタンパク質を含む物質と該モノクローナル抗体との複合体の量を決定する工程
を包含する、方法。
【請求項１８】
請求項１〜６のいずれか１項に記載のモノクローナル抗体あるいはそのＦａｂ、Ｆ（ａｂ’）２、ＦｖまたはＳｆｖフラグメントを有効成分として含有する癌治療薬であって、化学療法剤と併用して用いることを特徴とする癌治療薬。
【請求項１９】
癌が前立腺癌又は膵臓癌である、請求項１８に記載の癌治療薬。
【手続補正２】
【補正対象書類名】明細書
【補正対象項目名】０１５２
【補正方法】変更
【補正の内容】
【０１５２】
一実施形態において、本発明は、Ｈａ１−１．１６、Ｈａ１−５．９９、Ｈａ１−４．１１７、Ｈａ１−４．２０、Ｈａ１−４．１２１、Ｈａ１−４．３７として同定されたモノクローナル抗体であって、アメリカンタイプカルチャーコレクション（ＡＴＣＣ、Ｐ．Ｏ．Ｂｏｘ  １５４９，Ｍａｎａｓｓａｓ，ＶＡ  ２０１０８）へ２００５年５月４日付けで（フェデラルエクスプレスで）送られ、それぞれ、アクセッション番号ＰＴＡ−６６９８およびＰＴＡ−６７０３およびＰＴＡ−６６９９およびＰＴＡ−６７００およびＰＴＡ−６７０１およびＰＴＡ−６７０２と割り当てられたハイブリドーマによって産生されるモノクローナル抗体を提供する。
【手続補正３】
【補正対象書類名】明細書
【補正対象項目名】０４６６
【補正方法】変更
【補正の内容】
【０４６６】
Ｈａ１−５．９９、Ｈａ１−４．１１７、Ｈａ１−４．１２０、Ｈａ１−４．３７、Ｈａ１−１．１６およびＨａ１−４．１２１と指定されるモノクローナル抗体を産生するハイブリドーマは、２００５年５月４日に、Ａｍｅｒｉｃａｎ  Ｔｙｐｅ  Ｃｕｌｔｕｒｅ  Ｃｏｌｌｅｃｔｉｏｎ（ＡＴＣＣ），Ｐ．Ｏ．Ｂｏｘ  １５４９，Ｍａｎａｓｓａｓ，ＶＡ  ２０１０８に（Ｆｅｄｅｒａｌ  Ｅｘｐｒｅｓｓにより）送付され、そして、それぞれ、ＰＴＡ−６７０３およびＰＴＡ−６６９９およびＰＴＡ−６７００およびＰＴＡ−６７０２およびＰＴＡ−６６９８およびＰＴＡ−６７０１の寄託番号が割り当てられた。